(57)【特許請求の範囲】
【請求項１】
デッキプレートの端部を梁のフランジ上に重ねた状態で固定するためのデッキプレート固定具であって、前記デッキプレート上の端部位置に取り付けられる金属製の端部材と、前記端部材上に押し当てられて係止される押さえ金具と、前記デッキプレートの端部材の取付位置の近傍に形成される貫通孔を貫通させて梁のフランジの下面に押し付けられるフックと、前記押さえ金具に支持され前記フックを送り動作させるフック送り機構とを備えてなるデッキプレート固定具。
【請求項２】
前記端部材は、棒鋼を直角に曲げて形成されたものであり、鉄筋トラス付きのデッキプレートの前記鉄筋トラスの鉄筋に溶接される垂直部分と、デッキプレートの基板の上面に沿う水平部分とを有し、前記水平部分上に前記押さえ金具が押し当てられる請求項１に記載のデッキプレート固定具。
【請求項３】
前記押さえ金具は、デッキプレート上に支持される一対の脚部と、前記脚部に一体に設けられ下面に前記端部材への係止部を有する押え板部と、前記脚部の上端部に設けられる天板部とを備えており、前記フック送り機構は、前記押さえ金具の天板部に形成された貫通孔に挿通され下端に前記フックが連結されるねじ軸と、前記ねじ軸にねじ込まれ前記天板部上に支持される回動操作が可能なナットとを含む請求項１に記載のデッキプレート固定具。
【請求項４】
前記押さえ金具は、デッキプレート上に支持される支持板部と、前記支持板部と一体に設けられ下面に前記端部材への係止部を有する押え板部とを備えており、前記フック送り機構は、前記押さえ金具の支持板部上に下端が当接され上端部に回動操作が可能な頭部を有するねじ軸と、前記フックに一体に連結され内部に前記ねじ軸がねじ込まれるねじ孔を有するスリーブとを含む請求項１に記載のデッキプレート固定具。
【請求項５】
前記押さえ金具は、前記端部材上に支持され下面に前記端部材への係止部を有する押え板部を備えており、前記フック送り機構は、前記押さえ金具の押え板部に下端が連結され上端部に回動操作が可能な頭部を有するねじ軸と、前記フックに一体に連結され前記ねじ軸がねじ込まれるナットとを含む請求項１に記載のデッキプレート固定具。
【請求項６】
前記フックは、板状のフック本体の下端部に、前記フック本体と直角をなす板状の鉤状部が一体に形成されている請求項１，３，４のいずれかに記載のデッキプレート固定具。
【請求項７】
前記フックは、一対の平行な金属棒よりなるフック本体と、前記フック本体の各金属棒の下端を同方向へ直角に曲げて形成される鉤状部と、前記フック本体の各金属棒の上端を前記鉤状部と同方向へ曲げかつ一体に連結された連結部とを一連に備える請求項１または５に記載のデッキプレート固定具。
【発明の詳細な説明】
【技術分野】
【０００１】
この発明は、梁上に敷設されるデッキプレートの端部を梁に固定するのに用いられるデッキプレート固定具に関し、この発明は特に、デッキプレートの端部を梁のフランジ上に重ねた状態で固定するデッキプレート固定具に関する。
【背景技術】
【０００２】
従来、鉄骨造や鉄筋コンクリート造の建造物の床を施工するのに、デッキプレートを用いた工法が採用されている。この工法は、梁上に複数枚のデッキプレートを敷設し、デッキプレート上に配筋を施した後、デッキプレート上にコンクリートを打設して鉄筋コンクリート床構造体を構築するものである。上記の工程中に、デッキプレート上での歩行や作業によりデッキプレートに水平方向の力が作用したり、風によりデッキプレートに鉛直方向の力が作用したりするため、所期位置からデッキプレートが移動しないようにするために、各デッキプレートの両端部を梁に固定する必要がある。
【０００３】
従来、この種の固定は溶接により行われており、デッキプレートの端部を梁のフランジ上に重ねるようにして梁にデッキプレートを敷設した後、デッキプレートの端部を梁のフランジにスポット溶接している。デッキプレートには種々の態様のものがあり、例えば、フラットデッキと呼ばれるデッキプレートでは、デッキプレートを構成する鋼板製の基板は、肉厚が比較的厚いこともあり、基板と梁のフランジとの間をスポット溶接している。
【０００４】
図１０に示す鉄筋トラス付きのデッキプレート１０では、基板１５の両端部に、棒鋼をＬ字状に折り曲げて形成された端部材１１が取り付けてある。端部材１１は、垂直部分１１ａが鉄筋トラス１２の上端筋１３および下端筋１４に溶接され、水平部分１１ｂは基板１５の上面に沿い、端縁より梁９のフランジ９０上に突出している。基板１５の端部は梁９のフランジ９０上に重ねられており、フランジ９０上へ突き出た端部材１１の水平部分１１ｂと梁９のフランジ９０との間をスポット溶接することにより、デッキプレート１０の端部が梁９に固定される。
【０００５】
上記した溶接によるデッキプレートの固定方法では、梁９が熱により変質して脆弱化するという問題がある。それに加えて、高所での溶接作業であるため、溶接に伴う火の粉が落下して階下の作業員が火傷したり、可燃物の引火を招いたり、隣家や公道へ火の粉が落下して第三者を火災や事故に巻き込んだりするおそれもある。
【０００６】
上記の問題を解消するため、溶接によらずにデッキプレートを梁に固定する方法と、その方法の実施に用いられるデッキプレート固定具とが種々提案されている（例えば、特許文献１参照）。特許文献１に記載のデッキプレート固定具は、デッキプレートの端部を梁のフランジ上に重ねた状態で、ねじ軸の下端とフックの鉤部との間でデッキプレートの端部と梁のフランジとを挟持し、これによりデッキプレートを梁に固定するものである。
【先行技術文献】
【特許文献】
【０００７】
【特許文献１】特開昭６２−１４８７５０号公報
【発明の概要】
【発明が解決しようとする課題】
【０００８】
図１０に示す鉄筋トラス付きのデッキプレート１０では、基板１５は肉厚が１ｍｍ以下の溶融亜鉛メッキ鋼板が用いられている。そのような薄い基板１５を梁のフランジに固定するのに、特許文献１に記載のデッキプレート固定具を用いると、ねじ軸の下端が基板１５に強く圧接されるので、基板１５に孔が開いたり傷が付いたりして基板１５が損傷するおそれがある。そのような傷のある基板１５に荷重が掛かると、傷の部分から基板１５が破断し、デッキプレートの梁への固定に支障が生じるおそれがある。
【０００９】
この発明は、上記の問題を解消するため、基板を損傷することなく、デッキプレートを梁のフランジにしっかりと固定できるデッキプレート固定具を提供することを目的とする。
【課題を解決するための手段】
【００１０】
この発明によるデッキプレート固定具は、デッキプレートの端部を梁のフランジ上に重ねた状態で固定するためのものであって、デッキプレート上の端部位置に取り付けられる金属製の端部材と、端部材上に押し当てられて係止される押さえ金具と、デッキプレートの端部材の取付位置の近傍に形成される貫通孔を貫通させて梁のフランジの下面に押し付けられるフックと、押さえ金具に支持されフックを送り動作させるフック送り機構とを備えてなる。
【００１１】
上記した構成のデッキプレート固定具によると、端部材に押さえ金具を押し当てて係止し、一方、梁のフランジの下面へフックを押し付けることにより、デッキプレートの端部を梁のフランジに固定するので、デッキプレートを構成する基板が損傷されるおそれはなく、デッキプレートは梁にしっかりと固定される。
【００１２】
ここで、押さえ金具が端部材上に押し当てられて係止されるとは、端部材上に押し当てられた押さえ金具が、端部材と係わり合って端部材上に止まり、外れないという意味である。
【００１３】
この発明の上記した構成において、端部材は、好ましくは棒鋼や厚手の鋼板などが用いられるが、従来の鉄筋トラス付きのデッキプレートのように溶接固定用の棒鋼製の端部材が予め取り付けられている場合は、その溶接固定用の端部材をそのまま流用してもよく、また、必要に応じて、デッキプレートの端部に後付けしてもよい。
【００１４】
好ましい実施形態においては、端部材は、棒鋼を直角に曲げて形成されたものであり、鉄筋トラス付きのデッキプレートの鉄筋トラスの鉄筋に溶接される垂直部分と、デッキプレートの基板の上面に沿う水平部分とを有し、水平部分上に押さえ金具が押し当てられる。なお、端部材に用いる棒鋼は、断面形状が必ずしも円形である必要はなく、角形であってもよい。また、端部材は鉄筋に溶接により取り付けるのが望ましいが、基板の表面に接着剤などで固定することもできる。
【００１５】
押さえ金具のひとつの実施形態は、デッキプレート上に支持される一対の脚部と、脚部に一体に設けられ下面に端部材への係止部を有する押え板部と、脚部の上端部に設けられる天板部とを備えている。フック送り機構は、押さえ金具の天板部に形成された貫通孔に挿通され下端にフックが連結されるねじ軸と、ねじ軸にねじ込まれ天板部上に支持される回動操作が可能なナットとを含む。
【００１６】
押さえ金具の他の実施形態は、デッキプレート上に支持される支持板部と、支持板部と一体に設けられ下面に端部材への係止部を有する押え板部とを備えている。フック送り機構は、押さえ金具の支持板部上に下端が当接され上端部に回動操作が可能な頭部を有するねじ軸と、フックに一体に連結され内部にねじ軸がねじ込まれるねじ孔を有するスリーブとを含む。
【００１７】
押さえ金具のさらに他の実施形態は、端部材上に支持され下面に端部材への係止部を有する押え板部を備えている。フック送り機構は、押さえ金具の押え板部に下端が連結され上端部に回動操作が可能な頭部を有するねじ軸と、フックに一体に連結されねじ軸がねじ込まれるナットとを含む。
【００１８】
好ましい実施態様のフックは、板状のフック本体の下端部に、フック本体と直角をなす板状の鉤状部が一体に形成されている。
【００１９】
他の好ましい実施態様のフックは、一対の平行な金属棒よりなるフック本体と、前記フック本体の各金属棒の下端を同方向へ直角に曲げて形成される鉤状部と、前記フック本体の各金属棒の上端を前記鉤状部と同方向へ曲げて一体に連結される連結部とを一連に備える。
【発明の効果】
【００２０】
この発明によれば、基板を損傷することなく、デッキプレートの端部を梁のフランジにしっかりと固定できる。
【図面の簡単な説明】
【００２１】
【図１】デッキプレート固定具の第１実施例の外観を示す斜視図であり、（Ａ）は斜め上方から見た図、（Ｂ）は斜め下方から見た図である。
【図２】図１の実施例の使用状態を示す側面図である。
【図３】図１の実施例の使用状態を示す正面図である。
【図４】図１の実施例の使用状態を示す斜視図である。
【図５】デッキプレート固定具の第２実施例の外観を示す斜視図である。
【図６】図５の実施例の使用状態を示す側面図である。
【図７】図５の実施例の使用状態を示す正面図である。
【図８】デッキプレート固定具の第３実施例の外観および使用状態を示す斜視図である。
【図９】図８の実施例の使用状態を示す側面図であり、（Ａ）〜（Ｃ）は図８の実施例を用いてデッキプレートを梁に固定する手順を示している。
【図１０】鉄筋トラス付きのデッキプレートを溶接により梁に固定した状態を示す側面図である。
【発明を実施するための形態】
【００２２】
図１〜図４は、デッキプレート固定具の第１実施例の構成と使用状態とを示している。このデッキプレート固定具１は、例えば、図１０に示した鉄筋トラス付きのデッキプレート１０を鉄骨梁などの梁９のフランジ９０に固定するのに用いられる。
【００２３】
図１０に示すデッキプレート１０は、溶融亜鉛メッキ鋼板よりなる基板１５と、基板１５上に一定の間隔（例えば１５０ｍｍ間隔）で並設された複数の鉄筋トラス１２とを備えている。なお、以下の説明において、鉄筋トラス１２が並べられる方向を「幅方向」、鉄筋トラス１２が延びる方向を「長さ方向」という。基板１５は、例えば、幅が６００ｍｍ、長さが６００〜７０００ｍｍである。基板１５上には、長さ方向に沿って所定の間隔で複数の吊り材１７が平行に配設されており、各吊り材１７の頂部に各鉄筋トラス１２の上端筋１３が溶接により固着されることで、各鉄筋トラス１２が吊持されている。
【００２４】
鉄筋トラス１２は、上端筋１３と、上端筋１３と平行に配置される下端筋１４と、上端筋１３と下端筋１４との間に設けられるラチス筋１６とを含むもので、吊り材１７と直交する方向、すなわち、長さ方向に配設されている。基板１５の両端部には、Ｌ字状の端部材１１がそれぞれ取り付けられている。また、基板１０の両側縁には、図示していないが、隣のデッキプレートと繋ぐための継ぎ手部が一体に形成されている。
【００２５】
端部材１１は、断面形状が円形の棒鋼を直角に曲げて形成されている。端部材１１の垂直部分１１ａは鉄筋トラス１２の上端筋１３および下端筋１４に溶接され、水平部分１１ｂは基板１５の上面に接した状態で沿い、基板１５の端縁より梁９のフランジ９０上に突出している。基板１５の端部は、梁９のフランジ９０上に重ねられ、この重ねられた状態でデッキプレート固定具１を用いてフランジ９０に固定される。
【００２６】
図１０の鉄筋トラス付きのデッキプレート１０は、梁９のフランジ９０に溶接するための構成として端部材１１が予め設けられているが、端部材１１は既設のものに限らず、後付けしたものであってもよい。この実施形態では、既設の端部材１１をデッキプレート固定具１の構成に流用しており、この端部材１１に加えて、押さえ金具２、フック４、およびフック送り機構５によりデッキプレート固定具１が構成されている。
【００２７】
押さえ金具２は、図１および図３に示されるように、端部材１１の水平部分１１ｂの上面に押し当てて係止させる係止部３を有している。この実施例の押さえ金具２は、デッキプレート１０上に支持される一対の脚部２１，２２と、脚部２１，２２の上端部間に設けられる天板部２３とを一体に備えている。
【００２８】
一方の脚部２１の両側端部には、側方へ突出する押え板部２４がそれぞれ一体形成されている。各押え板部２４は下方に向けて広がる略三角形状を呈し、下端には端部材１１への係止部３を備えている。図示の係止部３は、凹んだ形態のものであり、端部材１１の直径より大きな幅で開口しており、中央の底面３０や左右の傾斜端面３１，３２が端部材１１の水平部分１１ｂに接して外れないように係止される（図３参照）。
【００２９】
フック４は、板状のフック本体４０の下端部に先細形状の鉤状部４１が、上端部にフック送り機構５との連結部４２が、それぞれ一体に形成されている。フック本体４０および鉤状部４１は、図２および図４に示されるように、デッキプレート１０の基板１５に形成された円形の貫通孔１８の直径より小さな板幅を有し、貫通孔１８を通すことが可能である。貫通孔１８は、端部材１１の近傍の側方位置に形成される。鉤状部４１はフック本体４０とほぼ直角をなし、基板１５の下方において梁９のフランジ９０の下面に押し付けられる。
【００３０】
連結部４２は、図１（Ｂ）および図２に示されるように、フック本体４０と板面が連続する縦板部４３と、縦板部４３と直角をなす横板部４４とを一体に備えている。縦板部４３は、脚部２２に形成された上下方向のスリット２７を貫通しており、鉤状部４１の上方に突き出ている。横板部４４は、後述するボルト５０のねじ軸５２がねじ込まれるねじ孔４５が形成されている。
【００３１】
フック送り機構５は、フック４をスリット２７に沿って上下方向に送り動作させるもので、ねじ軸５２および頭部５１を備えるボルト５０と、ボルト５０のねじ軸５２にねじ込まれるナット５３とを用いて構成されている。ねじ軸５２は、フック４の横板部４４に形成されたねじ孔４５にねじ込まれ、横板部４４の下面にボルト５０の頭部５１が突き当たっている。これによりねじ軸５２の下端にフック４が一体に連結固定される。
【００３２】
ねじ軸５２は、押さえ金具２の天板部２３に形成された貫通孔２５を貫通する。ねじ軸５２にねじ込まれるナット５３は天板部２３上にばね座金５４を介して支持される。ナット５３は、回動操作が可能な操作部６を構成しており、ナット５３を正逆いずれかの方向へ回動させることによりねじ軸５２が上方または下方へねじ送りされ、これによりフック４が上下動する。
【００３３】
押さえ金具２は、一方の係止部３がデッキプレート１０の端部材１１の水平部分１１ｂ上に押し当てられて係止される。フック４は、デッキプレート１０の下方においてフック送り機構５により上方へ送られ、鉤状部４１が梁９のフランジ９０の下面へ押し付けられることで、デッキプレート１０の端部が梁９のフランジ９０に固定される。なお、デッキプレート１０の他端部を梁９のフランジ９０に固定するときは、押さえ金具２の他方の係止部３を端部材１１上に押し当てる。
【００３４】
図５〜図７は、デッキプレート固定具の第２実施例を示すもので、押さえ金具２と、フック４と、フック送り機構５と、デッキプレート１０の端部に取り付けられる端部材１１とでデッキプレート固定具１が構成される。
【００３５】
押さえ金具２は、図５に示されるように、金属板材を直角に曲げることにより形成される支持板部２６および押さえ板部２４を備えている。支持板部２６は、デッキプレート１０の基板１５上に支持されるもので、押え板部２４は、支持板部２６の一側端において起立する。
【００３６】
押え板部２４は、図７に示されるように、両側端部が支持板部２６より突出しており、その突出部分２４ａの下端に、端部材１１の水平部分１１ｂ上に押し当てられて係止される係止部３が形成されている。各係止部３の構成は第１実施例のものと同じであり、ここでは対応する構成に同一の符号を付することで説明を省略する。
【００３７】
フック４は、板状のフック本体４０の下端部に先細形状の鉤状部４１が、上端部に連結部４２が、それぞれ一体に形成されたものである。フック本体４０および鉤状部４１は、第１実施例と同様、デッキプレート１０の基板１５に形成された円形の貫通孔１８の直径より小さな板幅を有し、図６に示されるように、貫通孔１８を通すことが可能である。フック本体４０は支持板部２６に形成された矩形状の貫通孔２８を貫通している。鉤状部４１はフック本体４０とほぼ直角をなし、基板１５の下方において梁９のフランジ９０の下面に押し付けられる。
【００３８】
連結部４２は、フック４をフック送り機構５のねじ軸５２に連結するもので、フック本体４０に一体に形成されたスリーブ４６により構成される。スリーブ４６は、鉤状部４１と上下に対向し、スリーブ４６の内部のねじ孔４５に後述するボルト５０のねじ軸５２がねじ込まれて上下に貫通している。
【００３９】
フック送り機構５は、フック４をねじ送りするもので、ねじ軸５２および頭部５１を備えるボルト５０と、連結部４２のスリーブ４６とで構成される。ねじ軸５２の下端は押さえ金具２の支持板部２６の上面に突き当てられる。ボルト５０の頭部５１はねじ軸５２を回動操作することが可能な操作部６を構成する。
【００４０】
図８および図９は、デッキプレート固定具の第３実施例を示すもので、押さえ金具２と、フック４と、フック送り機構５と、デッキプレート１０の端部に取り付けられる端部材１１とでデッキプレート固定具１が構成される。
【００４１】
押さえ金具２は、端部材１１上に支持される円盤形状の押え板部２４を備えている。押え板部２４の下面には、凹面状をなす係止部３が形成されている。
【００４２】
フック４は、１本の金属棒７を曲げて一連に形成されたものであり、フック本体４０と鉤状部４１と連結部４２とからなる。フック本体４０は、図８に示されるように、一対の平行な金属棒７１，７２よりなり、各金属棒７１，７２の下端を同方向へ直角に屈曲して鉤状部４１が形成される。連結部４２は、フック本体４０の各金属棒７１，７２の上端を鉤状部４１と同方向へ屈曲しかつ一体接続して構成されており、直線部４７にナット５５が溶接により固定されている。
【００４３】
フック送り機構５は、フック４をねじ送りするもので、ねじ軸５２および頭部５１を備えるボルト５０と、連結部４２のナット５５とで構成される。ねじ軸５２の下端は押さえ金具２の押え板部２４の上面に溶接により接続されている。ボルト５０の頭部５１はねじ軸５２を回動操作することが可能な操作部６を構成する。ねじ軸５２はナット５５にねじ込まれて上下に貫通しており、フック４はナット５５を介してねじ軸５２に移動可能に連結される。
【００４４】
上記した各構成のデッキプレート固定具１を用いて梁９にデッキプレート１０を固定するには、まず、梁９のフランジ９０上にデッキプレート１０の端部を重ねるようにして複数枚のデッキプレート１０を敷設した後、各デッキプレート１０について、デッキプレート１０の端部を梁９のフランジ９０上に重ねた状態でデッキプレート固定具１により固定する。
【００４５】
第１実施例のデッキプレート固定具１を用いる場合は、端部材１１上に押さえ金具２の係止部３を上方より押し当てて係止する。一方、フック４の鉤状部４１およびフック本体４０は、デッキプレート１０に形成した貫通孔１８を通し、鉤状部４１をデッキプレート１０の下方に位置させる。押さえ金具２の脚部２１，２２は、下端がデッキプレート１０の上面に支持される。その後、操作部６のナット５３を回動してフック送り機構５のねじ軸５２を上方へねじ送りすることによりフック４が一体に上昇し、梁９のフランジ９０の下面に鉤状部４１が押し付けられる。これによりデッキプレート１０の端部が梁９のフランジ９０に固定される。
【００４６】
第２実施例のデッキプレート固定具１を用いる場合も同様に、端部材１１上に押さえ金具２の係止部３を上方より押し当てて係止する。一方、フック４の鉤状部４１およびフック本体４０は、デッキプレート１０に形成した貫通孔１８を通し、鉤状部４０をデッキプレート１０の下方に位置させる。フック送り機構５のねじ軸５２は下端を支持板部２６の上面に当接させる。その後、操作部６の頭部５１を回動操作してフック送り機構５のねじ軸５２を回動させ、スリーブ４６を上方へねじ送りすることによりフック４が一体に上昇し、梁９のフランジ９０の下面に鉤状部４１が押し付られる。これによりデッキプレート１０の端部が梁９のフランジ９０に固定される。
【００４７】
第３実施例のデッキプレート固定具１を用いる場合は、デッキプレート１０に形成した貫通孔１８にフック４の鉤状部４１およびフック本体４０を通した後（図９（１）参照）、デッキプレート固定具１を直立姿勢にし、鉤状部４０をデッキプレート１０の下方に位置させる（図９（２）参照）。次に、端部材１１上に押さえ金具２の係止部３を上方より押し当てて係止させた後、操作部６の頭部５１を回動操作してフック送り機構５のねじ軸５２を回動させ、ナット５５を上方へねじ送りすることによりフック４が一体に上昇し、梁９のフランジ９０の下面に鉤状部４０を押し付けられる（図９（３）参照）。これによりデッキプレート１０の端部が梁９のフランジ９０に固定される。
【符号の説明】
【００４８】
１    デッキプレート固定具
２    押さえ金具
３    係止部
４    フック
５    フック送り機構
６    操作部
７    金属棒
９    梁
１０  デッキプレート
１１  端部材
２４  押え板部
２６  支持板部
４０  フック本体
４１  鉤状部
４６  スリーブ
５１  頭部
５２  ねじ軸  
５３，５５  ナット
９０  フランジ
【要約】
【課題】基板を損傷することなく、デッキプレートを梁のフランジにしっかりと固定できるデッキプレート固定具を提供する。
【解決手段】デッキプレート固定具１は、デッキプレート１０の端部を梁９のフランジ９０上に重ねた状態で固定するもので、デッキプレート１０の端部に取り付けられる金属製の端部材１１と、端部材１１上に押し当てられて係止される押さえ金具２と、デッキプレート１０の端部材１１の取付位置の近傍に形成される貫通孔１８を貫通させて梁９のフランジ９０の下面に押し付けられるフック４と、フック４を送り動作させるフック送り機構５とを備えてなるものである。
【選択図】図２【図１】
0006664724.tif 000002
【図２】
0006664724.tif 000003
【図３】
0006664724.tif 000004
【図４】
0006664724.tif 000005
【図５】
0006664724.tif 000006
【図６】
0006664724.tif 000007
【図７】
0006664724.tif 000008
【図８】
0006664724.tif 000009
【図９】
0006664724.tif 000010
【図１０】
0006664724.tif 000011